(57)【要約】【課題】本発明は、非常用照明器具兼用階段通路誘導灯として照明装置に要求される機能を実現し、しかも配線が分かり易く使いやすい照明装置を提供することを目的とする。【解決手段】交流電源が接続される第１端子及び第２端子と、該第２端子と同極に接続された第３端子と、該第１端子及び該第２端子に電気的に接続され、該交流電源の電力で発光部材を発光させる常用点灯ユニットと、該発光部材の消灯に用いる壁スイッチを使用状態または不使用状態に切り替える壁スイッチ使用不使用設定スイッチと、該壁スイッチ使用不使用設定スイッチが使用状態に切り替えられているとき、該第３端子に接続された該壁スイッチのオンオフ動作に基づいて該常用点灯ユニットを点灯又は消灯に切り替えるセンサユニットと、を備える。【選択図】図１
2018113232.tif 000002
【特許請求の範囲】
【請求項１】
交流電源が接続される第１端子及び第２端子と、
前記第２端子と同極に接続された第３端子と、
前記第１端子及び前記第２端子に電気的に接続され、前記交流電源の電力で発光部材を発光させる常用点灯ユニットと、
前記発光部材の消灯に用いる壁スイッチを使用状態または不使用状態に切り替える壁スイッチ使用不使用設定スイッチと、
前記壁スイッチ使用不使用設定スイッチが使用状態に切り替えられているとき、前記第３端子に接続された前記壁スイッチのオンオフ動作に基づいて前記常用点灯ユニットを点灯又は消灯に切り替えるセンサユニットと、を備えたことを特徴とする照明装置。
【請求項２】
交流電源が接続される第１端子及び第２端子と、
外部から配線が接続されていない第３端子と、
前記第１端子及び前記第２端子に電気的に接続され、前記交流電源の電力で発光部材を発光させる常用点灯ユニットと、
前記発光部材の消灯に用いる壁スイッチを使用状態または不使用状態に切り替える壁スイッチ使用不使用設定スイッチと、
前記壁スイッチ使用不使用設定スイッチが不使用状態に切り替えられているとき、前記壁スイッチのオンオフ動作に基づかず前記常用点灯ユニットを点灯又は消灯に切り替えるセンサユニットと、を備えたことを特徴とする照明装置。
【請求項３】
前記第１端子と前記第２端子に接続され蓄電池を充電し、前記第１端子と前記第２端子から交流電力を得られないときは前記蓄電池で前記発光部材を発光させる非常灯ユニットと、
外部の状況を検知するセンサと、を備え、
前記センサユニットは、前記センサ、前記第１端子及び前記第２端子に接続され、前記常用点灯ユニットを制御することを特徴とする請求項１又は２に記載の照明装置。
【請求項４】
前記センサユニットに接続され、前記センサの情報を前記常用点灯ユニットの制御に反映させるか否かを切り替えるセンサ入切スイッチを備え、
前記センサは人感センサであり、
前記センサユニットは、前記センサ入切スイッチがオンであり前記人感センサで人を検知した場合の前記発光部材の照度を、前記センサ入切スイッチがオンであり前記人感センサで人を検知しない場合の前記発光部材の照度より高くすることを特徴とする請求項３に記載の照明装置。
【請求項５】
前記センサユニットは、前記交流電源の電圧を降圧させて前記センサに供給する降圧回路を備えたことを特徴とする請求項３又は４に記載の照明装置。  
【請求項６】
前記センサユニットは、火災信号を受けたときに、前記壁スイッチの操作状況にかかわらず前記発光部材を発光させることを特徴とする請求項１〜５のいずれか１項に記載の照明装置。
【請求項７】
前記センサユニットに接続された点検スイッチを備え、
前記センサユニットは、前記点検スイッチがオンされたときに、前記常用点灯ユニットの動作を停止させ、前記非常灯ユニットを動作させることを特徴とする請求項３〜５のいずれか１項に記載の照明装置。
【請求項８】
前記発光部材は、前記常用点灯ユニットに接続された第１発光部材と、前記非常灯ユニットに接続された第２発光部材と、を有することを特徴とする請求項３〜５のいずれか１項に記載の照明装置。
【発明の詳細な説明】
【技術分野】
【０００１】
本発明は、例えば階段などに取り付けられる照明装置に関する。
【背景技術】
【０００２】
ビル又はオフィスの避難経路となる階段、傾斜路又は通路等に設置される照明装置がある。そのような照明装置は、停電時でも床面に避難上有効な照度を与える非常用照明器具の機能と、避難経路を示す階段通路誘導灯の機能の両方を併せ持つ。非常用照明器具と階段通路誘導灯の両方の機能を備えた照明装置は非常用照明器具兼用階段通路誘導灯と称されている。非常階段に上述の照明装置を設ける場合、非常時以外ほとんど人目にふれないので、消灯もしくは調光状態にすることで省エネを図ることができる。また、外光が十分得られる環境下では、照明装置を消灯状態又は調光状態にすることで省エネを図ることができる。
【０００３】
特許文献１には、非常用照明器具として機能するとともに常夜灯として機能する照明装置が開示されている。無人の時又は外光が得られる時に消灯状態又は調光状態にするために、非常用照明器具に人感センサと明るさセンサを組み合わせた照明装置が提案されている。また、誘導灯の機能として、誘導灯用信号装置と連動して消灯したり、火災信号を受けると消灯又は調光をやめて全光状態にしたりするものが提案されている。
【先行技術文献】
【特許文献】
【０００４】
【特許文献１】特開２０１３−０７３７０６号公報
【発明の概要】
【発明が解決しようとする課題】
【０００５】
様々なセンサおよび誘導灯用信号装置を接続し、それらと連動して発光部材を制御する照明装置では、外部からの制御信号が多く動作が煩雑である。そのような照明装置は多数の配線を含むので、照明装置の設置時の作業が複雑になる。また、照明装置を設置する工事業者と照明装置のユーザは異なる。そのため、壁スイッチにより消灯を設定しているときにセンサで信号を受けたことで発光部材を点灯させるべきときに、発光部材が消灯したままとなることがある。また、壁スイッチにより消灯を設定しているときに火災を知らせる信号を受けても発光部材が消灯したままとなることもある。このような組み合わせで使用する場合、非常用照明器具兼用階段通路誘導灯としての機能を満足できない問題があった。
【０００６】
本発明は、上述のような課題を解決するためになされたもので、非常用照明器具兼用階段通路誘導灯として照明装置に要求される機能を実現し、しかも配線が分かり易く使いやすい照明装置を提供することを目的とする。
【課題を解決するための手段】
【０００７】
本願の発明に係る照明装置は、交流電源が接続される第１端子及び第２端子と、該第２端子と同極に接続された第３端子と、該第１端子及び該第２端子に電気的に接続され、該交流電源の電力で発光部材を発光させる常用点灯ユニットと、該発光部材の消灯に用いる壁スイッチを使用状態または不使用状態に切り替える壁スイッチ使用不使用設定スイッチと、該壁スイッチ使用不使用設定スイッチが使用状態に切り替えられているとき、該第３端子に接続された該壁スイッチのオンオフ動作に基づいて該常用点灯ユニットを点灯又は消灯に切り替えるセンサユニットと、を備えたことを特徴とする。
本願の発明に係る他の照明装置は、交流電源が接続される第１端子及び第２端子と、外部から配線が接続されていない第３端子と、該第１端子及び該第２端子に電気的に接続され、該交流電源の電力で発光部材を発光させる常用点灯ユニットと、該発光部材の消灯に用いる壁スイッチを使用状態または不使用状態に切り替える壁スイッチ使用不使用設定スイッチと、該壁スイッチ使用不使用設定スイッチが不使用状態に切替られているとき、該壁スイッチのオンオフ動作に基づかず該常用点灯ユニットを点灯又は消灯に切り替えるセンサユニットと、を備えたことを特徴とする。
【発明の効果】
【０００８】
本発明によれば、端子同士を接続する短絡線を用いず、壁スイッチ使用不使用設定スイッチにより壁スイッチの有無を設定するので、配線が分かり易く使いやすい照明装置を提供することができる。
【図面の簡単な説明】
【０００９】
【図１】実施の形態１に係る照明装置の分解斜視図である。
【図２】電源端子台の詳細図である。
【図３】配線と交流電源の接続を示す図である。
【図４】照明装置の構成を示すブロック図である。
【図５】比較例に係る照明装置のブロック図である。
【図６】変形例に係る照明装置のブロック図である。
【図７】別の変形例に係る照明装置のブロック図である。
【図８】実施の形態２に係る照明装置のブロック図である。
【図９】実施の形態３に係る照明装置のブロック図である。
【図１０】比較例に係る照明装置のブロック図である。
【図１１】別の比較例に係る照明装置のブロック図である。
【発明を実施するための形態】
【００１０】
本発明の実施の形態に係る照明装置について図面を参照して説明する。同じ又は対応する構成要素には同じ符号を付し、説明の繰り返しを省略する場合がある。
【００１１】
実施の形態１．
図１は、実施の形態１に係る照明装置の分解斜視図である。照明装置１００は、例えば、階段の踊り場の壁面、又は傾斜路の壁面等に設置される。この照明装置１００は、非常用照明器具を兼ねる階段通路誘導灯である。つまりこの照明装置１００は非常用照明器具兼用階段通路誘導灯である。したがって照明装置１００は、階段の踊り場等に設置される防災用照明装置である。照明装置１００は、常用時は通常の照明器具として機能し、停電時等には避難者が安全かつ迅速に避難できるように避難者を誘導する。非常用照明器具兼用階段通路誘導灯である照明装置１００は、非常用照明器具の要件を満たすために、発光部材が電球の場合は最低１ルクスの照度を確保し、発光部材が蛍光ランプ又はＬＥＤの場合は２ルクスの照度を確保するように設計されている。これにより停電時等に避難活動が可能となる。
【００１２】
照明装置１００は、本体１００ａ、本体１００ａに取り付ける反射板１２０及び発光部材１３０を備えている。発光部材１３０は例えばランプである。本体１００ａにはセンサ１０１、非常灯ユニット１０２、センサユニット１０３、常用点灯ユニット１０４、蓄電池１０５、電源端子台１０６、点検スイッチ１０７、センサ入切スイッチ１０８、充電モニター１０９、誘導灯用信号装置用端子台１１１および壁スイッチ使用不使用設定スイッチ２０１が配置されている。センサ１０１は、照明装置１００の外部の状況を検知するものであれば特に限定されないが、例えば人感センサ又は照度センサである。
【００１３】
図２は、電源端子台１０６の詳細図である。電源端子台１０６には、第１端子２００Ａ、第２端子２００Ｂ及び第３端子２００Ｃが設けられている。第１端子２００Ａには白配線２００ａが接続され、第２端子２００Ｂには黒配線２００ｂが接続されている。壁スイッチを使用する場合には第３端子２００Ｃに赤配線２００ｃを接続する。図２には、第２端子２００Ｂと第３端子２００Ｃの短絡に用いられる短絡線１５０が示されている。短絡線１５０は工事者が取り付けるものである。本発明の実施の形態１に係る照明装置１００では短絡線１５０を用いることはない。
【００１４】
図３は、配線と交流電源の接続を示す図である。第１端子２００Ａに接続された白配線２００ａは交流電源の一端に接続されている。第２端子２００Ｂに接続された黒配線２００ｂは交流電源の他端に接続されている。交流電源は例えば商用電源である。第３端子２００Ｃに接続された赤配線２００ｃの途中に壁スイッチ２１０が設けられている。壁スイッチ２１０がオンになると赤配線２００ｃと黒配線２００ｂが接続され両配線が同電位となる。このとき赤配線２００ｃと白配線２００ａに交流電力が供給される。壁スイッチ２１０がオフのときには、赤配線２００ｃには電位が無くなるため、赤配線２００ｃと白配線２００ａの間には交流電力が供給されない。このように第３端子２００Ｃと赤配線２００ｃは、壁スイッチ２１０を介して交流電源に接続される。
【００１５】
図４は、照明装置１００の構成を示すブロック図である。非常灯ユニット１０２は、第１端子２００Ａと第２端子２００Ｂに接続されており、これらの端子から交流電力の供給を受ける。非常灯ユニット１０２は蓄電池１０５を充電する。非常灯ユニット１０２は、交流電源２００が停止し停電した状態である非常時に、蓄電池１０５で発光部材１３０を発光させる。言い換えれば、非常灯ユニット１０２は第１端子２００Ａと第２端子２００Ｂから交流電力を得られないときは蓄電池１０５で発光部材１３０を発光させる。
【００１６】
常用点灯ユニット１０４は、第１端子２００Ａに接続されるとともに、センサユニット１０３を経由して第２端子２００Ｂに接続される。すなわち、常用点灯ユニット１０４は第１端子２００Ａ及び第２端子２００Ｂに電気的に接続される。常用点灯ユニット１０４は、交流電源２００が稼働している状態である常用時において、交流電源２００の電力で非常灯ユニット１０２経由で発光部材１３０を発光させる。このとき、非常灯ユニット１０２は、蓄電池１０５を充電しつつ、常用点灯ユニット１０４と発光部材１３０を接続させる。なお、常用点灯ユニット１０４は消灯機能を有するが、消灯機能ではなく調光機能を有しても良いし、消灯機能と調光機能を両方有しても良い。
【００１７】
センサユニット１０３には２つのセンサ１０１が接続されている。センサユニット１０３は２つのセンサ１０１の情報を取得する。センサユニット１０３は壁スイッチ信号検知部１０３ａを有している。この壁スイッチ信号検知部１０３ａは第３端子２００Ｃに接続されている。センサユニット１０３は第１端子２００Ａと第２端子２００Ｂに接続されている。このように、センサユニット１０３は、外部からの信号を全て受け、それらを基に常用点灯ユニット１０４を制御するものである。各種入力信号の処理を行うために、センサユニット１０３はマイクロコンピュータ等を内蔵することが好ましい。
【００１８】
常用点灯ユニット１０４、非常灯ユニット１０２及びセンサユニット１０３は、ＡＣ１００Ｖ〜２５４Ｖに対応したいわゆる電圧フリー対応品とする。センサユニット１０３は、交流電源２００の電圧を降圧させてセンサ１０１に供給する降圧回路１０３ｂを備えている。降圧回路１０３ｂで交流電源２００からＤＣ数十〜数Ｖを作る。これによりセンサ１０１の電源電圧及びサイズなどを自由に選択できるようになる。また、停電時以外にセンサ１０１の電源が切れることを防止できる。
【００１９】
センサユニット１０３にはセンサ入切スイッチ１０８が接続されている。センサ入切スイッチ１０８が「センサ入」の位置にあるとき（この時を「オンとする」）、センサユニット１０３は、センサ１０１の信号に基づき人を検知した時に発光部材１３０を点灯させ、人が居ない時は発光部材１３０への電力供給をやめて消灯状態とする。この時、常用点灯ユニット１０４の設定によって消灯するか調光により減光するかを選択できる。
【００２０】
センサユニット１０３は、センサ入切スイッチ１０８がオンであり人感センサであるセンサ１０１で人を検知した場合の発光部材１３０の照度を、センサ入切スイッチ１０８がオンであり人感センサであるセンサ１０１で人を検知しない場合の発光部材１３０の照度より高くする。例えば、センサ１０１が照度センサである場合、センサユニット１０３は、センサ１０１で検出した照度が予め定められた値よりも小さいときに発光部材１３０の照度を高め、センサ１０１で検出した照度が予め定められた値以上であるときは発光部材１３０の照度を低下させることができる。このように、常用時には、センサ１０１で検出した外部の状況に応じてセンサユニット１０３が常用点灯ユニット１０４に指令を出す。
【００２１】
一方、センサ入切スイッチ１０８を「センサ切」（この時を「オフ」とする）の位置にすると、センサ１０１の情報がセンサユニット１０３に伝達されなくなる。このように、センサ入切スイッチ１０８により、センサ１０１の情報を常用点灯ユニット１０４の制御に反映させるか否かを切り替えることができる。なお、照明装置１００がセンサ１０１を備えていない場合は、センサ入切スイッチ１０８を「オフ」とする。
【００２２】
停電時はセンサ１０１、センサユニット１０３および常用点灯ユニット１０４は動作せず、非常灯ユニット１０２が常用時に充電した蓄電池１０５の電力を使って発光部材１３０を非常点灯させる。なお、停電時には人検知の有無によらず、非常灯ユニット１０２により必ず発光部材１３０を点灯させることで安全を確保することができる。照明装置１００は非常用照明器具兼用階段通路誘導灯として照明装置に要求される機能をすべて有する。
【００２３】
センサユニット１０３には壁スイッチ使用不使用設定スイッチ２０１が接続されている。壁スイッチ使用不使用設定スイッチ２０１は、発光部材１３０の消灯に用いる壁スイッチ２１０を使用状態または不使用状態に切り替えるものである。赤配線２００ｃが配線されない場合、センサユニット１０３により消灯するべきなのか、もともと赤配線２００ｃが無いのかの識別ができないため、外部から壁スイッチ２１０があるかないかを設定する必要がある。その設定を壁スイッチ使用不使用設定スイッチ２０１で行う。使用者は、壁スイッチ使用不使用設定スイッチ２０１を使って壁スイッチ２１０の有無を設定する。出荷時の設定としては、壁スイッチ２１０による消灯をしないようになっている。
【００２４】
壁スイッチ２１０なしの場合について説明する。壁スイッチ２１０なしというのは、壁スイッチ２１０による消灯をしないということである。この場合、工事業者は白配線２００ａを第１端子２００Ａに接続し、黒配線２００ｂを第２端子２００Ｂに接続するだけで、赤配線２００ｃは設けない。赤配線２００ｃがないということは、第３端子２００Ｃには外部から配線が接続されてないということである。そして、壁スイッチ使用不使用設定スイッチ２０１を「オフ」にすることで壁スイッチ２１０を使用しない設定とする。そうすると、センサユニット１０３は、この照明装置１００では壁スイッチ２１０を使用しないと認識し、壁スイッチ２１０による発光部材１３０の消灯はしない。言い換えれば、壁スイッチ使用不使用設定スイッチ２０１が不使用状態に切り替えられているとき、センサユニット１０３は、壁スイッチ２１０のオンオフ動作に基づかず常用点灯ユニット１０４を点灯又は消灯に切り替える。
【００２５】
壁スイッチ２１０ありの場合について説明する。壁スイッチ２１０ありというのは、壁スイッチ２１０による消灯を行うということである。この場合、工事業者は白配線２００ａを第１端子２００Ａに接続し、黒配線２００ｂを第２端子２００Ｂに接続し、赤配線２００ｃを第３端子２００Ｃに接続する。これにより第３端子２００Ｃは第２端子２００Ｂと同極に接続される。交流電源２００の他端と第３端子２００Ｃの間の赤配線２００ｃの経路上に壁スイッチ２１０を設ける。壁スイッチ２１０がオフになっている場合でも初期状態では発光部材１３０が点灯する。使用者は、壁スイッチ使用不使用設定スイッチ２０１を操作しこれを「オン」とすることで、壁スイッチ２１０を使用する設定とする。これにより、壁スイッチ２１０による発光部材１３０の点灯又は消灯が可能となる。言い換えれば、壁スイッチ使用不使用設定スイッチ２０１が使用状態に切り替えられているとき、センサユニット１０３は、第３端子２００Ｃに接続された壁スイッチ２１０のオンオフ動作に基づいて常用点灯ユニット１０４を点灯又は消灯に切り替える。
【００２６】
ここで、本発明の実施の形態１に係る照明装置１００の意義の理解を容易にするために、比較例について説明する。図５は、比較例に係る照明装置のブロック図である。図５の照明装置は壁スイッチを使用した消灯をしない設定としたものである。そのため、壁スイッチ２１０の配線を点線で示している。電源端子台１０６には第２端子２００Ｂと第３端子２００Ｃを短絡する短絡線１５０が取り付けられている。短絡線１５０は工事業者によって取り付けられる。短絡線１５０を取り付けることで、常用点灯ユニット１０４には第２端子２００Ｂと同じ電圧が印加される。
【００２７】
例えば、２つのセンサ１０１は照明装置１００の長手方向の両端に各々設置されている。センサ１０１の電源は、電源端子台１０６の第１端子２００Ａおよび第２端子２００Ｂから取っている。センサ１０１とセンサユニット１０３には、第１端子２００Ａおよび第２端子２００Ｂから直接交流電源が供給される。この電源供給経路にあるトランスは交流電源がＡＣ１００Ｖ以外の場合にだけ使用するものである。照明装置１００が交流電源２００から電力供給を受けているときは、第１端子２００Ａと第２端子２００Ｂを経由して、装置内の各ユニットに電源が供給される。第１端子２００Ａと非常灯ユニット１０２の間には、常時オンの点検スイッチ１０７がある。点検動作をさせる時だけ点検スイッチ１０７をオフにする。この説明では、照明装置１００のセンサ１０１を２個にしたが、センサは２個に限らず、１個でも何個でもよく、センサ１０１の配置は照明装置１００の形状によって変えても良い。
【００２８】
誘導灯用信号装置１２１の火災信号を誘導灯用信号装置用端子台１１１で受けた場合、センサ１０１が人を検知していなくても、センサユニット１０３は常用点灯ユニット１０４に発光部材１３０を全光で点灯させる。誘導灯用信号装置１２１には、常用時にはＡＣ１００Ｖが給電されるが、火災発生時には無通電となる。
【００２９】
短絡線１５０を設けず壁スイッチ２１０による消灯を可能とする場合、壁スイッチ２１０をオフにすることで常用点灯ユニット１０４の片側の入力を切る。短絡線１５０で第２端子２００Ｂと第３端子２００Ｃを短絡させると、常用時は常用点灯ユニット１０４に交流電力が供給される。比較例の構成では、使用者の要求に応じて、工事業者が短絡線１５０の有無を切り替える必要があるので、作業ミスが生じやすくなっていた。
【００３０】
これに対し、本発明の実施の形態１では、短絡線１５０を用いることはなく、壁スイッチ２１０の有無を設定できる。したがって、工事業者が短絡線１５０を設けるべきなのに短絡線１５０が設けられなかったり、短絡線１５０が不要であるのに短絡線１５０が設けられたりするミスを防止できる。また、センサ１０１の情報、センサ入切スイッチ１０８の入切情報、および壁スイッチ使用不使用設定スイッチ２０１の情報をセンサユニット１０３に集約することで、シンプルな構成で、センサユニット１０３によってユーザの指定する動作を実現することができる。
【００３１】
本発明の実施の形態１に係る照明装置１００はその特徴を失わない範囲で様々な変形が可能である。図６は、変形例に係る照明装置のブロック図である。この照明装置は誘導灯用信号装置用端子台１１１を備えている。誘導灯用信号装置用端子台１１１は誘導灯用信号装置１２１とセンサユニット１０３を接続する。火災報知機が火災を検知した時、誘導灯用信号装置１２１および誘導灯用信号装置用端子台１１１を経由して、センサユニット１０３に火災信号が出される。そして、火災信号を受けたセンサユニット１０３は、壁スイッチ２１０の操作状況にかかわらず、常用点灯ユニット１０４に発光部材１３０を全光で点灯させる指令を出す。これにより、発光部材１３０が発光する。したがって、仮に壁スイッチ使用不使用設定スイッチ２０１がオンとなっており壁スイッチ２１０がオフされることで壁スイッチ２１０による消灯要求がある場合でも、火災信号が出されれば発光部材１３０を発光させることができる。
【００３２】
図７は、別の変形例に係る照明装置のブロック図である。図６の照明装置では、第２端子２００Ｂと、センサユニット１０３内部を経由して、交流電源２００の他端と常用点灯ユニット１０４を接続した。そして、センサユニット１０３によって、常用点灯ユニット１０４への通電をオンオフすることで、常用点灯ユニット１０４を制御する。これに対し、図７の照明装置では、第２端子２００Ｂを直接に常用点灯ユニット１０４に接続する。そして、各種の情報が集まるセンサユニット１０３によって、常用点灯ユニット１０４の動作を設定する。これにより第２端子２００Ｂからセンサユニット１０３を経由して常用点灯ユニット１０４に給電する必要がなくなるので、センサユニット１０３の構成を簡素にできる。
【００３３】
本発明の実施の形態１に係る照明装置１００のセンサユニット１０３は、外部からの信号を全て受け、それらを基に常用点灯ユニット１０４を制御するものである。したがって、センサユニット１０３で上述した信号以外の信号を受けてもよい。例えば、照明装置１００の周辺が無人であること、または建物が施錠済みであることを知らせる消灯信号をセンサユニット１０３で受けることとしてもよい。消灯信号を受けたセンサユニット１０３は、照明装置を消灯する。誘導灯用信号装置１２１は、火災信号を照明装置１００に送ることに加えて、上述の消灯信号をセンサユニット１０３に送るように構成する。
【００３４】
これらの変形は以下の実施の形態に係る照明装置に適宜応用できる。なお、以下の実施の形態に係る照明装置は、実施の形態１との共通点が多いので実施の形態１との相違点を中心に説明する。
【００３５】
実施の形態２．
図８は、実施の形態２に係る照明装置のブロック図である。点検スイッチ１０７ａがセンサユニット１０３に接続されている。点検スイッチ１０７ａは照明装置１００を点検するときに扱う。照明装置１００の点検とは、模擬的に停電状態にすることにより、非常灯ユニット１０２の動作と蓄電池１０５の寿命を確認するものである。点検の方法として、交流電源２００そのものを遮断して停電状態とし発光部材１３０を非常点灯させる点検と、点検スイッチ１０７ａを使って模擬的な停電状態をつくり発光部材１３０を非常点灯させる点検がある。
【００３６】
センサユニット１０３は、点検スイッチ１０７ａが操作されたときに、常用点灯ユニット１０４の動作を停止させ、非常灯ユニット１０２を動作させる。そのために、センサユニット１０３は、非常灯ユニット１０２と常用点灯ユニット１０４の両方に点検である旨の信号を送る。これにより、常用点灯ユニット１０４を消灯しつつ、非常灯ユニット１０２を使用した蓄電池１０５による非常点灯動作が可能となる。
【００３７】
さらに、上述の点検に加えて、個別制御方式の自動点検を可能とすることが好ましい。個別制御方式の自動点検とは、自動点検の起動開始動作を行うことで非常点灯状態を継続させ、蓄電池１０５が規定時間以上有効に発光部材１３０を非常点灯できるか否かを判定する機能である。センサユニット１０３に内蔵したマイクロコンピュータに対し、点検スイッチ１０７ａから点検を行うべき点検信号と、個別制御方式の自動点検を行うべき点検信号を区別して出すことが好ましい。例えば、点検スイッチ１０７ａを操作している間点検を行い、点検スイッチ１０７ａの長押し又は外部からのリモコン操作があったときに個別制御方式の自動点検を始めることにすれば、点検作業が円滑にできるようになる。
【００３８】
非常用照明器具兼用階段通路誘導灯では、センサによる制御をしないことも多い。また、非常灯ユニット１０２に、点検スイッチの点検信号を受ける操作部を設けることが多い。その操作部において、点検を行うべき点検信号と、個別制御方式の自動点検を行うべき点検信号を受け、しかもこれらを区別できるようにすることが好ましい。そうすると、操作部を共通で使えるようになり、一般的な非常灯ユニット１０２に個別制御方式の自動点検の機能を持たせなくても、当該自動点検機能を実現することができる。もちろん、個別制御方式の自動点検用に別のスイッチを設ければ、点検動作と自己点検動作を完全に分けることができる。
【００３９】
ところで、実施の形態１の照明装置は図４に示すように、第１端子２００Ａに接続された装置内配線に点検スイッチ１０７を設けた。つまり、白配線２００ａに点検スイッチ１０７が接続される。この場合、点検スイッチ１０７により交流電源２００を直接遮断することとなる。したがって、耐圧が大きく接点容量の大きな点検スイッチ１０７が必要であった。
【００４０】
これに対し、本発明の実施の形態２では点検スイッチ１０７ａをセンサユニット１０３に取り付けたので、点検スイッチ１０７ａで交流電源２００を直接遮断する必要はない。そのため、点検スイッチ１０７ａとして、耐圧が低く接点容量も小さい信号用スイッチを使用することができる。これにより、点検スイッチ１０７ａを小さくしたり、点検スイッチ１０７ａとして低価格なスイッチを設けたりすることができる。
【００４１】
実施の形態３．
図９は、実施の形態３に係る照明装置のブロック図である。発光部材として、常用点灯ユニット１０４に接続された第１発光部材１４０と、非常灯ユニット１０２に接続された第２発光部材１３１とが設けられている。センサユニット１０３は、常用時には第１発光部材１４０を点灯させ、停電などの非常時には第２発光部材１３１を点灯させる。このように、常用時の発光部材と非常時の発光部材を別々に設けても、点検作業時には、第１発光部材１４０が消灯し第２発光部材１３１を非常点灯動作させることができるため、上述の個別制御方式の自動点検が複雑化することはない。
【００４２】
図１０は、比較例に係る照明装置のブロック図である。点検スイッチ１０７ａは非常灯ユニット１０２に取り付けられている。そのため、点検時に点検スイッチ１０７ａを操作しても、常用点灯ユニット１０４には点検信号が送られない。そうすると、点検動作中であっても第１発光部材１４０が点灯しつづけるため動作が紛らわしくなる。この比較例において、第１端子２００Ａに接続された内部配線上に点検スイッチを設けて、交流電源２００そのものを遮断することもできる。図１１は、別の比較例に係る照明装置のブロック図である。点検スイッチ１０７は第１端子２００Ａに接続されている。この場合、点検スイッチ１０７の大型化が避けられない。
【００４３】
これに対し、本発明の実施の形態３では、センサユニット１０３に点検スイッチ１０７ａを設けて、点検時には、センサユニット１０３から常用点灯ユニット１０４と非常灯ユニット１０２の両方に信号を出す。これにより、大きな点検スイッチを用いることなく、容易に点検を行うことができる。なお、ここまでに説明した各実施の形態に係る照明装置の特徴は適宜に組み合わせて用いてもよい。
【符号の説明】
【００４４】
１００  照明装置、  １０１  センサ、  １０２  非常灯ユニット、  １０３  センサユニット、  １０４  常用点灯ユニット、  １０５  蓄電池、  ２００Ａ  第１端子、  ２００Ｂ  第２端子、  ２００Ｃ  第３端子、  ２０１  壁スイッチ使用不使用設定スイッチ
【図１】
2018113232.tif 000003
【図２】
2018113232.tif 000004
【図３】
2018113232.tif 000005
【図４】
2018113232.tif 000006
【図５】
2018113232.tif 000007
【図６】
2018113232.tif 000008
【図７】
2018113232.tif 000009
【図８】
2018113232.tif 000010
【図９】
2018113232.tif 000011
【図１０】
2018113232.tif 000012
【図１１】
2018113232.tif 000013